(57)【要約】【課題】  施工を簡単としながら従来の遮音壁と同等の遮音性能を維持することのできる部屋間防音施工方法を提供すること。【解決手段】  先行して配設された天井下地６における間仕切壁パネル１０固定用の桟９の上に板状の吸音材１７を架け渡し、吸音材の一端部を間仕切壁パネルの上方に桟を介して配置させるまたは間仕切壁パネルの面材１４に当接させる。【選択図】図１
2006299597.tif 000002
【特許請求の範囲】
【請求項１】
先行して配設された天井下地における間仕切壁パネル固定用の桟の上に板状の吸音材を架け渡し、吸音材の一端部を間仕切壁パネルの上方に桟を介して配置させるかまたは間仕切壁パネルの面材に当接させることを特徴とする部屋間防音施工方法。
【発明の詳細な説明】
【技術分野】
【０００１】
本願発明は、部屋間に遮音性を持たせることのできる施工容易な部屋間防音施工方法に関するものである。
【背景技術】
【０００２】
コンクリート下地より形成される天井スラブの下方に吊金具を介して桟をはりめぐらし、天井下地を形成し、天井下地に天井材を配設することによって形成される二重天井が知られている。この二重天井では、天井裏空間部を介して音が他の部屋に伝播するのを防止するために、天井スラブと天井材の間に遮音壁を設けることが行われている（たとえば、特許文献１参照）。
【特許文献１】特開２００３−１５５７９１号公報
【発明の開示】
【発明が解決しようとする課題】
【０００３】
しかしながら、一般に天井裏にはダクトや配管、配線が施工されるため、遮音性を確保するには、遮音壁にダクトや配管、配線が貫通するように切り欠きし、切り欠いた部分で音漏れが生じないようにシールする必要があった。このため、施工現場での手間が増すとともに、防音性能が施工の仕方によってばらつくという問題がある。
【０００４】
本願発明は、このような事情に鑑みてなされたものであり、施工を簡単としながら従来の遮音壁と同等の遮音性能を維持することのできる部屋間防音施工方法を提供することを課題としている。
【課題を解決するための手段】
【０００５】
本願発明は、上記の課題を解決するために、先行して配設された天井下地における間仕切壁パネル固定用の桟の上に板状の吸音材を架け渡し、吸音材の一端部を間仕切壁パネルの上方に桟を介して配置させるかまたは間仕切壁パネルの面材に当接させることを特徴としている。
【発明の効果】
【０００６】
本願発明によれば、天井裏に回り込んでくる音を吸音材により減衰させ、部屋間の遮音性を従来の遮音壁と同等にすることができる。天井裏に施工されるダクトや配管、配線により支障を受けずに部屋間の防音を実現することができる。
【発明を実施するための最良の形態】
【０００７】
図１は、本願発明の部屋間防音施工方法の一実施形態を示した断面図である。
【０００８】
コンクリート下地より形成された床スラブ１の上に支持脚２が立設され、支持脚２に床下地材３を載せて二重床４が形成されている。二重床４の表面には床仕上げ材５が配設される。この二重床４の施工後に天井下地６の形成が行われる。
【０００９】
天井下地６は、コンクリート下地より形成された天井スラブ７の下方に吊ボルト８を介して形成されている。天井下地６は、桟９が縦横に所定ピッチで配置され、組み合わされて形成されている。桟９には、ＬＧＳ、ＬＶＬ等の木質材が一般に用いられる。
【００１０】
天井下地６の形成後に間仕切壁パネル１０が二重床４と天井下地６に固定され、間取りが行われる。天井下地６の桟９への間仕切壁パネル１０の固定は、たとえば図２に示したように、間仕切壁パネル１０の上横枠１１に木片１２が固定され、木片１２の側面を桟９の側面に当接させ、釘等の固定具１３により結合することにより行われる。
【００１１】
間仕切壁パネル１０は、石膏ボード等の面材１４が左右両側に２枚ずつ配設されて増し貼りされたものとされている。強度を高めるとともに、部屋間の遮音性を高めるために面材１４が２枚ずつ配設されている。面材１４は必ずしも片側２枚でなくてもよく、厚み等によって枚数は適宜なものとすることができる。１枚とすることもできる。間仕切壁パネル１０の下端部には図１に示したように巾木１５が配設される。
【００１２】
天井ボード１６を貼る前に遮音が必要とされる間仕切壁パネル１０の上方に吸音材１７が配設される。吸音材１７は板状の部材であり、グラスウール等の音を吸収する適宜な素材から形成されたものである。吸音材１７は、天井下地６を形成する桟９に架け渡され、一端部が間仕切壁パネル１０の上方に配置される。このように吸音材１７は桟９間を跨ぐように配設されるため、言い換えれば、吸音材１７の幅は天井下地６を形成する桟９のピッチよりも大きいため、天井ボード１６を貼るまでに落下することはなく、落下防止用の細工をする必要はない。また、吸音材１７は板状であるが、必ずしも剛性が十分高いものでなくてもよく、桟９への架け渡しにより桟９からはみ出る部分が下方に垂れ下がるようなものであってもよい。
【００１３】
吸音材１７の配設後に天井ボード１６が配設される。天井ボード１６は、図１および図２に示したように、間仕切壁パネル１０との間に隙間が形成されないように、端が間仕切壁パネル１０に当接するようにして配設される。
【００１４】
図１図中の向かって左側の部屋に音源があるとすると、一般に天井ボード１６は間仕切壁パネル１０に配設される面材１４に比べ薄いため、音は天井裏へと透過しやすいが、透過した音は、吸音材１７により減衰され、右隣の部屋には漏れにくくなる。同様に、右側の部屋に音源があると、天井裏へ透過する音は吸音材１７により減衰され、左隣の部屋に漏れにくくなる。このように、天井裏を回り込んで伝わる音が簡易な方法により抑制され、部屋間の防音が実現される。しかも、吸音材１７の配設は、天井裏に施工されるダクト、配管、配線を邪魔しないため、貫通用の切欠を形成したり、切欠の周りをシールしたりする必要はなく、施工性に優れている。施工現場での廃材が削減されもする。
【００１５】
図３は、本願発明の部屋間防音施工方法の別の実施形態を示した断面図である。
【００１６】
本実施形態は、図１に示した実施形態と、天井下地６を形成する桟９が間仕切壁パネル１０と直交している点において相違しており、その他は図１に示した実施形態と同様である。
【００１７】
このように桟９が間仕切壁パネル１０と直交する場合にも、板状の吸音材１７は並置された桟９に架け渡して配設され、一端部を間仕切壁パネル１０の上方に桟９を介して配置される。天井ボード１６から天井裏に透過する音が吸音材１７により減衰され、隣室に漏れるのが抑制される。天井裏を回り込んで伝わる音が簡易な方法により抑制され、部屋間の防音が実現される。しかも、吸音材１７の配設が、天井裏に施工されるダクト、配管、配線の邪魔をせず、施工性に優れている。施工現場での廃材が削減されもする。
【００１８】
図４は、本願発明の部屋間防音施工方法の別の実施形態を示した断面図である。
【００１９】
本実施形態では、異なる天井高さを有する部屋間の防音施工方法を示している。天井の低い部屋、たとえばトイレ、洗面所、風呂場等の天井裏にダクトや換気扇等が配設されると、その部屋の上方に吸音材を配設できない場合があるが、このような場合には、隣の天井高の高い部屋、たとえば寝室等の天井裏に板状の吸音材１７を配設する。吸音材１７は、図１に示した実施形態と同様に、天井下地６を形成する桟９に架け渡され、一端部が間仕切壁パネル１０の上方に配置される。天井高の低い部屋で発生し、天井ボード１６から天井裏に透過する音は、配設された吸音材１７によって減衰され、隣室に漏れるのが抑制される。天井裏を回り込んで伝わる音が簡易な方法により抑制され、部屋間の防音が実現される。また、吸音材１７は、ダクトや換気扇等に関係なく配設されるため、施工性に優れている。
【００２０】
図５は、本願発明の部屋間防音施工方法の別の実施形態を示した断面図である。
【００２１】
本実施形態では、図４に示した実施形態と異なり、和室、寝室等の天井高の低い部屋の上方に桟９を介して板状の吸音材１７が配設される。吸音材１７は桟９上に架け渡され、一端部を間仕切壁パネル１０の面材１４に当接させる。本実施形態では、図４に示した実施形態にも共通することであるが、増し貼りとしているため、天井高の低い部屋側の面材１４の上端部は、桟９を配設するために外側の面材１４が切り欠かれている。本実施形態では、吸音材１７を切り欠かれていない内側の面材１４の上端部に当接させる。天井高の高い、リビング・ダイニング・ルーム等の部屋で発生し、天井ボード１６から天井裏に透過する音は、配設された吸音材１７によって減衰され、隣室に漏れるのが抑制される。天井裏を回り込んで伝わる音が簡易な方法により抑制され、部屋間の防音が実現される。しかも、吸音材１７の配設が、天井裏に施工されるダクト、配管、配線の邪魔をせず、施工性に優れている。施工現場での廃材が削減されもする。
【００２２】
実際に、図１に示した実施形態において増し貼りしない１枚の石膏ボードを面材１４として配設した場合と従来の遮音壁を設ける場合（増し貼りなし）、また、天井裏に吸音材を設けない場合（増し貼りなし）の部屋間防音性能を比較してみた。吸音材には幅４００ｍｍ、厚み５０ｍｍ程度のグラスウール板を用いた。図６に示したように、本願発明の実施形態は、従来の遮音壁を設ける場合とほぼ同等の防音性能を有することが確認される。天井裏にダクトや配管、配線が施工され、遮音壁を配設することが困難な場合にも、吸音材を所定位置に配設することにより部屋間の防音を実現することができる。石膏ボードを２枚配設し、増し貼りした間仕切壁パネルの場合には、遮音性がより良好になることが理解される。
【００２３】
なお、本願発明では、間仕切壁パネルにより間取りされる部屋には廊下も含まれる。
【図面の簡単な説明】
【００２４】
【図１】本願発明の部屋間防音施工方法の一実施形態を示した断面図である。
【図２】間仕切壁パネルと桟との固定方法の一形態を示した要部断面図である。
【図３】本願発明の部屋間防音施工方法の別の実施形態を示した断面図である。
【図４】本願発明の部屋間防音施工方法の別の実施形態を示した断面図である。
【図５】本願発明の部屋間防音施工方法の別の実施形態を示した断面図である。
【図６】図１に示した実施形態と従来の遮音壁を設ける場合、また、天井裏に吸音材を設けない場合の部屋間防音特性を示したグラフである。
【符号の説明】
【００２５】
１    床スラブ
２    支持脚
３    床下地材
４    二重床
５    床仕上げ材
６    天井下地
７    天井スラブ
８    吊ボルト
９    桟
１０    間仕切壁パネル
１１    上横枠
１２    木片
１３    固定具
１４    面材
１５    巾木
１６    天井ボード
１７    吸音材
【図１】
2006299597.tif 000003
【図２】
2006299597.tif 000004
【図３】
2006299597.tif 000005
【図４】
2006299597.tif 000006
【図５】
2006299597.tif 000007
【図６】
2006299597.tif 000008